【手続補正書】
【提出日】平成18年3月10日(2006.3.10)
【手続補正１】
【補正対象書類名】明細書
【補正対象項目名】全文
【補正方法】変更
【補正の内容】
【書類名】      明細書
【発明の名称】  ディスクカートリッジ及び記録及び／又は再生装置
【特許請求の範囲】
【請求項１】  情報信号の記録及び／又は再生が可能な第１のディスクと、
上記第１のディスクが回転可能に格納されたカートリッジ筐体と、を備え、
上記カートリッジ筐体には、上記第１のディスクに対して情報信号の記録及び／又は再生を行うピックアップ装置に対する所定位置に位置決めするための一対の第１の位置決めピンが嵌合される一対の第１の位置決め穴と、上記第１のディスクと直径が異なる第２のディスクが格納された大きさの異なる第２のディスクカートリッジを上記ピックアップ装置に対する所定位置に位置決めするための一対の第２の位置決めピンによっては位置決めされることのないように当該一対の第２の位置決めピンを退避する一対の逃げ穴を設けたことを特徴とするディスクカートリッジ。
【請求項２】  上記一対の第１の位置決め穴は、上記ピックアップ装置に対する所定位置を基準として上記第１のディスクの外径に対応する位置よりも外側に設けたことを特徴とする請求項１記載のディスクカートリッジ。
【請求項３】  上記一対の逃げ穴は、上記ピックアップ装置に対する所定位置を基準として上記第１のディスクの外径に対応する位置よりも外側に設けたことを特徴とする請求項１記載のディスクカートリッジ。
【請求項４】  情報信号の記録及び／又は再生が可能な第１のディスクが回転可能に格納された第１のカートリッジ筐体に設けた一対の第１の位置決め穴に嵌合することにより第１のディスクカートリッジを所定位置に位置決めする一対の第１の位置決めピンと、
上記第１のディスクとは直径が異なる第２のディスクが回転可能に格納された大きさの異なる第２のカートリッジ筐体に設けた一対の第２の位置決め穴に嵌合することにより第２のディスクカートリッジを所定位置に位置決めするが、上記第１のカートリッジ筐体に設けた逃げ穴によっては上記第１のディスクカートリッジを位置決めすることなく退避される一対の第２の位置決めピンと、
上記一対の第１の位置決めピンにより位置決めされた上記第１のカートリッジ筐体に格納されている上記第１のディスク又は上記一対の第２の位置決めピンにより位置決めされた上記第２のカートリッジ筐体に格納されている上記第２のディスクに対して情報信号の記録及び／又は再生を行うピックアップ装置と、
上記一対の第１の位置決めピンと上記一対の第２の位置決めピンを設けたシャーシと、を備えたことを特徴とする記録及び／又は再生装置。
【請求項５】  上記一対の第１の位置決めピンは、上記ピックアップ装置に対する所定位置を基準として上記第１のディスクの外径に対応する位置よりも外側に設けたことを特徴とする請求項３記載の記録及び／又は再生装置。
【請求項６】  上記一対の第２の位置決めピンは、上記ピックアップ装置に対する所定位置を基準として上記第２のディスクの外径に対応する位置よりも外側に設けたことを特徴とする請求項３記載の記録及び／又は再生装置。
【発明の詳細な説明】
【０００１】
【発明の属する技術分野】
本発明は、例えば光ディスクの信号記録層に光ビームを照射し、信号記録層に情報信号を記録あるいは信号記録層に記録された情報信号を再生するようにした記録及び／又は再生装置及びこれに用いて好適なディスクカートリッジに関し、詳しくは、ディスク径の異なるディスクが大きさの異なるそれぞれのカートリッジ筐体内に格納されている複数のディスクカートリッジが、記録及び／又は再生装置に選択的に装着される、いわゆるコンバチブル方式であって、大きさの異なるディスクカートリッジが記録及び／又は再生装置の位置決めピンに支障なく位置決め保持できるようにしたものである。
【０００２】
【従来の技術】
従来、オーディオ情報や映像情報等の各種情報の記録媒体として、この記録媒体に記録された情報を光ビームを用いて再生し、あるいは記録するようにした光ディスクが提案されている。この種の光ディスクは、１枚の板状のディスクにより構成することができるので、取り扱いが容易である上、磁気テープ等の記録媒体に比較して大きな記録容量を有することから、オーディオ情報や映像情報、さらにはコンピュータ処理されるデータの記録媒体として広く適用されている。
【０００３】
一方、光ディスク等の光記録媒体を用いる記録及び／又は再生装置にあっては、例えばコンピュータ等の情報処理装置に組み込むときの設置スペースを考慮して一層の小型化が要求されている。
【０００４】
また、記録及び／又は再生装置の小型化を図るためには、記録媒体も小型化する必要があり、記録媒体の高容量化も要求されている。このため、記録媒体としてディスク径の異なるディスクがそれぞれ大きさの異なるカートリッジ筐体内に格納された複数種類のディスクカートリッジが提案され、これらディスクカートリッジは本出願人が先に特願平１１−１７６０２９号公報により提案している。
【０００５】
【発明が解決しようとする課題】
ところで、上述したディスクカートリッジは、それぞれのディスクカートリッジが専用のカートリッジ挿入口に装着する方式であるので、記録再生装置もそれぞれのディスクカートリッジに対応した記録再生装置が必要である。
【０００６】
このため、大きさの異なるディスクカートリッジを互換性のある記録再生装置に選択的に装着することは不可能である。
【０００７】
すなわち、大きさの異なるディスクカートリッジでは、ディスクカートリッジを記録再生装置に位置決めするための位置決め穴の位置が異なる場合がある。特に、一つのスピンドルモータを使用する場合が多い記録再生装置では、位置決め穴を大きさの異なるディスクカートリッジで一致させることは非常に困難である。
【０００８】
例えば、ディスクカートリッジの位置決め穴が係合されて位置決めされる記録再生装置側の位置決めピンは、大きさの異なるディスクカートリッジを使用する場合、その処理に困ることがある。つまり、ディスク径の小さいディスクカートリッジの位置決めピンは、ディスク径の大きいディスクカートリッジを挿入するときには不必要であるので、この位置決めピンから逃げなくてはならない。例えばフロッピーディスクやＭＤ（ミニディスク）、ＭＯ（光磁気ディスク）等のディスクカートリッジでは、大きさの異なるディスクカートリッジを一台の記録再生装置で使用することを想定した退避策はない。
【０００９】
本発明は、上述したような課題を解消するためになされたもので、大きさの異なる複数種類のディスクカートリッジを一つの記録及び／又は再生装置に支障なく選択的に位置決めされ装着することのできるディスクカートリッジ、及びこれを用いて好適な記録及び／又は再生装置を得ることを目的としている。
【００１０】
【課題を解決するための手段】
上述の目的を達成するため、本発明のディスクカートリッジは、情報信号の記録及び／又は再生が可能な第１のディスクと、その第１のディスクが回転可能に格納されたカートリッジ筐体と、を備え、カートリッジ筐体には、第１のディスクに対して情報信号の記録及び／又は再生を行うピックアップ装置に対する所定位置に位置決めするための一対の第１の位置決めピンが嵌合される一対の第１の位置決め穴と、第１のディスクと直径が異なる第２のディスクが格納された大きさの異なる第２のディスクカートリッジをピックアップ装置に対する所定位置に位置決めするための一対の第２の位置決めピンによっては位置決めされることのないように一対の第２の位置決めピンを退避する一対の逃げ穴を設けたものである。
また、本発明の記録及び／又は再生装置は、情報信号の記録及び／又は再生が可能な第１のディスクが回転可能に格納された第１のカートリッジ筐体に設けた一対の第１の位置決め穴に嵌合することにより第１のディスクカートリッジを所定位置に位置決めする一対の第１の位置決めピンと、第１のディスクとは直径が異なる第２のディスクが回転可能に格納された大きさの異なる第２のカートリッジ筐体に設けた一対の第２の位置決め穴に嵌合することにより第２のディスクカートリッジを所定位置に位置決めするが、第１のカートリッジ筐体に設けた逃げ穴によっては第１のディスクカートリッジを位置決めすることなく退避される一対の第２の位置決めピンと、一対の第１の位置決めピンにより位置決めされた第１のカートリッジ筐体に格納されている第１のディスク又は一対の第２の位置決めピンにより位置決めされた第２のカートリッジ筐体に格納されている第２のディスクに対して情報信号の記録及び／又は再生を行うピックアップ装置と、一対の第１の位置決めピンと一対の第２の位置決めピンを設けたシャーシと、を備えたことを特徴としている。
【００１１】
このように構成したことにより、記録及び／又は再生装置にディスク径の大きいディスクカートリッジを装着した際に、ディスク径の小さいディスクカートリッジを位置決めする位置決めピンを逃げ穴により退避することができ、これによって、記録及び／又は再生装置に大きさの異なるディスクカートリッジを支障なく装着することができる。
【００１２】
【発明の実施の形態】
以下、本発明によるディスクカートリッジ及び記録及び／又は再生装置の実施の形態をディスク径の異なる大小２種類のディスクカートリッジに適用した場合を例にとって図面を参照して説明する。
【００１３】
図１はディスク径の大きいディスクカートリッジ（以下、第１のディスクカートリッジという）を上面側より見たシャッター解放状態の斜視図、図２は同じく下面側より見たシャッター解放状態の斜視図、図３はディスク径の小さいディスクカートリッジ（以下、第２のディスクカートリッジという）を上面側より見たシャッター解放状態の斜視図、図４は同じく下面側より見たシャッター解放状態の斜視図である。
【００１４】
第１のディスクカートリッジの全体を符号１で示し、カートリッジ筐体２は上ハーフ３と下ハーフ４の接合面を高周波溶着により合体式に構成されている。第１のディスクカートリッジ１内に格納されている第１のディスク５は、例えば光ディスクであり、そのディスク外径は一例としてφ６４．８ｍｍであり、この場合、ディスク筐体２は第１のディスクカートリッジ１の挿入方向（矢印マーカー６で示す）と直交する一辺の長さＷ１は７２ｍｍ、この辺と直交する他辺の長さＷ２は６８ｍｍ、厚みＤ１が５ｍｍのサイズに規格されている。
【００１５】
上述した第１のディスクカートリッジ１には、カートリッジ筐体２の両面をスライド式に開閉可能のシャッター板７を有し、このシャッター板７が解放されることで第１のディスクカートリッジ１の上面側では上ハーフ２の開口窓２ａから第１のディスク５の上面の径方向の一部が露見すると共に、第１のディスクカートリッジ１の下面側では下ハーフ３の開口窓３ａから第１のディスク５の下面（記録層）の径方向の一部が露見するようになっている。尚、第１のディスクカートリッジ１の下面側では、シャッター板７の解放により第１のディスク５のチャッキングプレート８が露見するようになる。
【００１６】
また、第１のディスクカートリッジ１の下ハーフ３には、挿入先端側の一側方に長穴状の第１の位置決め穴９と、この第１の位置決め穴９とは反対側の挿入後端側に丸穴状の第１の位置決め穴１０が形成されている。さらに、第１のディスクカートリッジ１の挿入先端側はその両角部を斜めにカットした比較的大きな切欠面１１，１１に形成されている。
【００１７】
一方、第２のディスクカートリッジの全体を符号１２で示し、この場合、カートリッジ筐体１３も上ハーフ１４と下ハーフ１５の接合面を高周波溶着により合体式に構成されている。第２のディスクカートリッジ１２内に格納されている第２のディスク１６は光ディスクであり、そのディスク外径は一例としてφ５０ｍｍであり、この場合、カートリッジ筐体１３は第２のディスクカートリッジ１２の挿入方向（矢印マーカー１７で示す）と直交する一辺の長さＷ３は５８ｍｍ、この辺と直交する他辺の長さＷ４は５３ｍｍ、厚みＤ２が４ｍｍのサイズに規格されている。
【００１８】
上述した第２のディスクカートリッジ１２には、カートリッジ筐体１３の両面をスライド式に開閉可能のシャッター板１８を有し、このシャッター板１８が解放されることで第２のディスクカートリッジ１２の上面側では上ハーフ１４の開口窓１４ａから第２のディスク１６の上面の径方向の一部が露見すると共に、第２のディスクカートリッジ１２の下面側では下ハーフ１５の開口窓１５ａから第２のディスク１６の下面（記録層）の径方向の一部が露見するようになっている。尚、第２のディスクカートリッジ１２の下面側では、シャッター板１８の解放により第２のディスク１６のチャッキングプレート１９が露見するようになる。
【００１９】
また、第２のディスクカートリッジ１２の下ハーフ１５には、挿入先端側の一側方に長穴状の第２の位置決め穴２０と、この第２の位置決め穴２０とは反対側の挿入後端側に丸穴状の第２の位置決め穴２１が形成されている。さらに、第２のディスクカートリッジ１２の挿入先端側はその両角部を斜めにカットした比較的大きな切欠面２２，２２に形成されている。
【００２０】
ここで、図５に上述したディスクカートリッジが装着される記録及び／又は再生装置のカセットコンパートメント（以下、カセコンという）のシャーシ２３の平面図を示し、シャーシ２３上に第１のディスクカートリッジ１が装填された状態を仮想線で示し、図６にシャーシ２３上に第１のディスクカートリッジ１が位置決めされた断面図を示す。
【００２１】
第１のディスクカートリッジ１はヒンジ部２４を支点としてホップアップ式（はね上げ式）に回動するホルダー２５に矢印方向から挿着され、ホルダー２５をシャーシ２３側へ回動することで装填位置となる。
【００２２】
シャーシ２３上のヒンジ部２４側とその反対側の一側方（右側方）には第１のディスクカートリッジ１の高さ決めのための第１の高さ基準面を有する一対の第１の位置決め台座２６，２７が形成され、両第１の位置決め台座２６，２７上の第１の高さ基準面にそれぞれ第１のディスクカートリッジ１の第１の位置決め穴９，１０が係合される第１の位置決めピン２８，２９が突出形成されている。
【００２３】
これら両第１の位置決めピン２８，２９の内側に隣接してシャーシ２３上に第２のディスクカートリッジ１２の高さ決めのための第２の高さ基準面を有する一対の第２の位置決め台座３０，３１が形成され、両第２の位置決め台座３０，３１上の第２の高さ基準面にそれぞれ第２のディスクカートリッジ１２の第２の位置決め穴２０，２１が形成される第２の位置決めピン３２，３３が突出形成されている。
【００２４】
一方、第１のディスクカートリッジ１の一対の第１の位置決め台座２６，２７とは左右対称位置のシャーシ２３上には、第１のディスクカートリッジ１の高さ決めのための一対の第１の位置決め台座２６，２７と同じ高さの第１の高さ基準面を有する第１の台座３４，３５が形成されている。そして、この両第１の台座３４，３５の内側に隣接してシャーシ２３上に第２のディスクカートリッジ１２の高さ決めのための一対の第２の位置決め台座３０，３１と同じ高さの第２の高さ基準面を有する第２の台座３６，３７が形成されている。尚、第２のディスクカートリッジ１２の高さ決めのための第２の位置決め台座３０，３１及び第２の台座３６，３７は、第１のディスクカートリッジ１の高さ決めのための第１の位置決め台座２６，２７及び第１の台座３４，３５より高くされている。
【００２５】
また、上述したシャーシ２３において、第１のディスク５をチャッキングし回転駆動するためのターンテーブル３８及び第１のディスク５の記録情報を再生あるいは第１のディスク５に記録情報を記録するためのピックアップ装置である光学ピックアップ装置３９が配置されている。
【００２６】
上述したシャーシ２３上に装填された第１のディスクカートリッジ１は、その一対の第１の位置決め穴９，１０がシャーシ２３の一対の第１の位置決めピン２８，２９に係合されて位置決めされると共に、第１のディスクカートリッジ１の下面がそれぞれの第１の位置決め台座２６，２７及び第１の台座３４，３５によって高さ決めされ、第１のディスクカートリッジ１を水平状態に保持することができる。
【００２７】
ここで、本発明では第１のディスクカートリッジ１が第２のディスクカートリッジ１２の一対の第２の位置決めピン３２，３３及び第２の位置決め台座３０，３１に干渉しないように段付き逃げ穴４０，４１が形成されている。また、第２のディスクカートリッジ１２の第２の台座３６，３７から退避するための逃げ穴４２，４３（図２参照）が形成されている。これによって、第１のディスクカートリッジ１の装填状態では第２のディスクカートリッジ１２の第２の位置決めピン３２，３３及び第２の位置決め台座３０，３１及び第２の台座３６，３７から退避して干渉されることなく第１の高さ基準面で高さ決めされ位置決めすることができる。
【００２８】
図７にシャーシ２３上に第２のディスクカートリッジ１２が装填された状態を仮想線で示し、図８にシャーシ２３に第２のディスクカートリッジ１２が位置決めされた断面図を示す。
【００２９】
シャーシ２３上に装填された第２のディスクカートリッジ１２は、その一対の第２の位置決め穴２０，２１がシャーシ２３の一対の第２の位置決めピン３２，３３に係合されて位置決めされると共に、第２のディスクカートリッジ１２の下面がそれぞれの第２の位置決め台座３０，３１及び第２の台座３６，３７の第２の高さ基準面によって高さ決めされ、第２のディスクカートリッジ１２を水平状態に保持することができる。
【００３０】
第２のディスクカートリッジ１２のシャーシ２３上への装填状態では、第１のディスクカートリッジ１の第１の位置決めピン２８，２９及び第１の台座３４，３５は第２のディスクカートリッジ１２とは干渉しない位置にあるので、特別な逃げ穴は必要なく、第２のディスクカートリッジ１２はその第２の位置決め穴２０，２１が第２の位置決めピン３２，３３に位置決めされると共に、第２の位置決め台座３０，３１の第２の高さ基準面により高さ決めされる。ここで重要なことは、第２のディスクカートリッジ１２の第２の位置決めピン３２，３３は、第１のディスクカートリッジ１がシャーシ２３上に装填されたとき、その第１のディスク５と干渉しないように第１のディスク５の外径より外方へ配置させるようにし、これによって、第１のディスクカートリッジ１に支障のない装填が可能となる。
【００３１】
尚、第１のディスクカートリッジ１の高さ決めのための台座に対して第２のディスクカートリッジ１２の高さ決めのための台座を高くしてあることは、第１のディスクカートリッジ１の筐体２の厚み（５ｍｍ）より第２のディスクカートリッジ１２の筐体１３の厚み（４ｍｍ）が若干薄くなっている分、光学ピックアップ装置３９からの光ビームのスポットが第１のディスク５や第２のディスク１６の記録層に正確に照射できるように台座の高さで調整されている。
【００３２】
上述したように本発明による記録及び／又は再生装置は、大きさの異なる２種類のディスクカートリッジがカセコンに選択的に挿着し記録あるいは再生動作を行うことができるといった特長を有するものである。
【００３３】
また、第１のディスクカートリッジ１の装填時に第２のディスクカートリッジ１２の第２の位置決めピン３２，３３との干渉を避けるため、第１のディスクカートリッジ１に逃げ穴を設けたこと、そして、第２のディスクカートリッジ１２の第２の位置決めピン３２，３３を、第１のディスクカートリッジ１がシャーシ２３上に装填されたとき、その第１のディスク５と干渉しないように第１のディスク５の外径より外方に配置することによって、大きさの異なる２種類のディスクカートリッジ１，１２の挿着が可能となり、信頼性の高い記録及び／又は再生装置となる。
【００３４】
また、両ディスクカートリッジ１，１２は、それぞれの挿入側の両角部に切欠面１１，２２を形成したことによって、ディスクカートリッジの挿入向きが容易に認識することができ、誤挿入を防止することができる。また、ホルダー２５への挿入の際にディスクカートリッジを斜めの姿勢で挿入した場合であっても、切欠面１１，２２がガイド機能となり、ディスクカートリッジが正常な姿勢となってホルダー２５への挿入が可能となる。
【００３５】
尚、ディスクカートリッジのホルダー２５への挿入において、大きな第１のディスクカートリッジ１の場合は、カートリッジの左右側面がホルダー２５にガイドされるので、特別なガイド機構を設けることなく正確な位置に挿着することができる。これに対して、小さな第２のディスクカートリッジ１２の場合は、ホルダー２５にガイド機構を備えることが必要である。この場合、ガイド機構は大きな第１のディスクカートリッジ１がホルダー２５に挿入された際に退避されるような機構を備えることによって容易に可能となる。
【００３６】
本発明は、上述しかつ図面に示した実施の形態に限定されるものでなく、その要旨を逸脱しない範囲内で種々の変形実施が可能である。
【００３７】
本例では、一対の位置決めピンをディスクカートリッジの挿入方向に沿って前後に配置した場合について説明したが、その他、ディスクカートリッジの後端側の左右に配置された場合であっても上述の場合と同様に行うことができる。この場合、一対の位置決めピンは丸穴状の位置決めピンでよい。
【００３８】
また、本例では、大きさの異なる２種類のディスクカートリッジに適用した場合について説明したが、その他、２種類以上の大きさ異なるディスクカートリッジについてもカートリッジが干渉する位置に位置決めピンの逃げ穴を設けたり、ディスクから退避する位置に位置決めピンを配置することによって容易に可能となる。
【００３９】
また、第１および第２のディスクカートリッジの台座は同じ高さであってもよい。
【００４０】
【発明の効果】
以上説明したように、本発明のディスクカートリッジ及び記録及び／又は再生装置は、記録及び／又は再生装置にディスク径の大きいディスクカートリッジを装着した際に、ディスク径の小さいディスクカートリッジを位置決めする位置決めピンを逃げ穴により退避する構成としたため、記録及び／又は再生装置に複雑な機構を設ける必要もなく、大きいディスクカートリッジの装填に対して支障のない信頼性の高いディスクカートリッジ及び記録及び／又は再生装置となる。
【００４１】
また、ディスク径の小さいディスクカートリッジの台座の高さを、ディスク径の大きいディスクカートリッジの台座の高さより若干高く設定したことによって、厚みの異なるディスクカートリッジであっても簡単な機構の対策で光学ピックアップ装置からの光ビームのスポットをディスクの記録層に正確に照射することができる。
【図面の簡単な説明】
【図１】
本発明による大きいディスクカートリッジを上面から見た斜視図である。
【図２】
同じく大きいディスクカートリッジを下面から見た斜視図である。
【図３】
本発明による小さいディスクカートリッジを上面から見た斜視図である。
【図４】
同じく大きいディスクカートリッジを下面から見た斜視図である。
【図５】
カセコンに大きいディスクカートリッジを装填したときの平面図である。
【図６】
同じくカセコンに大きいディスクカートリッジを装填したときの断面図である。
【図７】
カセコンに小さいディスクカートリッジを装填したときの平面図である。
【図８】
同じくカセコンに小さいディスクカートリッジを装填したときの断面図である。
【符号の説明】
１‥第１のディスクカートリッジ、  ２‥カートリッジ筐体、  ５‥第１のディスクカートリッジの第１のディスク、  ７‥シャッター板、  ９‥長穴状の第１の位置決め穴、  １０‥丸穴状の第１の位置決め穴、  １１‥切欠面、  １２‥第２のディスクカートリッジ、  １３‥カートリッジ筐体、  １６‥第２のディスクカートリッジの第２のディスク、  １８‥シャッター板、  ２０‥長穴状の第１の位置決め穴、  ２１‥丸穴状の第１の位置決め穴、  ２２‥切欠面、  ２３‥カセコンのシャーシ、  ２４‥ヒンジ部、  ２５‥スライダー、  ２６，２７‥第１のディスクカートリッジの第１の位置決め台座、  ２８，２９‥第１のディスクカートリッジの第１の位置決めピン、  ３０，３１‥第２のディスクカートリッジの第２の位置決め台座、  ３２，３３‥第２のディスクカートリッジの第２の位置決めピン、  ３４，３５‥第１のディスクカートリッジの第１の台座、  ３６，３７‥第２のディスクカートリッジの第２の台座、  ３９‥光学ピックアップ装置（ピックアップ装置）、  ４０，４１‥段付き逃げ穴、  ４２，４３‥逃げ穴